(57)【要約】  電気通信コネクタ（１０）は、電気通信ペア線に接続可能な接触子（１２）のアレイを備え、この接触子は、第１のタイプ又は第２のタイプである。第１のタイプの接触子はその接触領域（１２Ｂ）が第１の方向に延在するように形成され、第２のタイプの接触子はその接触領域が反対方向に延在するように形成される。ＲＪ４５ジャックの形態の実施形態では、クロストーク補償を導入するために、アレイの内域の接触子「３」〜「６」は交互に第１のタイプ及び第２のタイプであり、アレイの残部における各ペアの接触子「１」、「２」、及び「７」、「８」は、それぞれ同一タイプだが、内部域の隣接する接触子とは異なるタイプである。
2013502041.tif 000002
【特許請求の範囲】
【請求項１】
アレイの第１の領域において、隣接する接触子が交互に異なるペア線に属し、前記アレイの残部において、隣接する接触子の各ペアが１つの対応のペア線に属するように、電気通信ペア線に接続可能な接触子のアレイを備え、前記アレイの接触子が第１のタイプ又は第２のタイプであり、各タイプが、前記接触子がコネクタに取り付けられる支持領域と、嵌合電気通信コネクタの各接触子と電気的に接続させるために配置された接触領域と、を含み、クロストーク補償を導入するために、
（ｉ）前記第１のタイプの接触子はその接触領域が第１の方向に延在するように形成され、前記第２のタイプの接触子はその接触領域が反対方向に延在するように形成され、
（ｉｉ）前記アレイの前記第１の領域の隣接する接触子が、交互に前記第１のタイプ及び前記第２のタイプであり、
（ｉｉｉ）前記アレイの残部における各ペアの接触子が、それぞれ同じタイプであるが、前記アレイの前記第１の領域の隣接する接触子とは異なる、電気通信コネクタ。
【請求項２】
前記第１のタイプの接触子の前記接触領域が、一般に前記接触子の前記支持領域と同方向に延在し、前記第２のタイプの接触子の前記接触領域が、一般に前記接触子の前記支持領域と反対方向に延在する、請求項１に記載のコネクタ。
【請求項３】
前記第１のタイプの接触子の前記支持領域及び前記接触領域が、一般に嵌合コネクタの挿入方向に向かって延在する、請求項２に記載のコネクタ。
【請求項４】
８個の接触子のアレイを備えるジャックの形態において、前記アレイの前記第１の領域が４個の接触子を備える、請求項１〜３のいずれか一項に記載のコネクタ。
【請求項５】
各接触子の前記支持領域が、前記接触子の少なくとも１つの屈曲部を介して前記接触領域に接合される、請求項１〜４のいずれか一項に記載のコネクタ。
【請求項６】
前記第１のタイプの接触子の少なくとも１つが、一般に前記接触子の延在方向に対して実質的に垂直に延在する、前記支持領域と前記接触領域との間の中間部を備える、請求項３に記載のコネクタ。
【請求項７】
少なくとも１つの前記接触子が、前記支持領域にたわみを有する、請求項１〜６のいずれか一項に記載のコネクタ。
【請求項８】
電気通信ペア線に接続可能な電気接触子のアレイを備え、各接触子は、一端において接触子がコネクタに取り付けられた支持領域と、嵌合電気通信コネクタの各電気接触子に係合するように配置された接触領域と、を備え、前記接触子の他端が自由端であり、
（ｉ）前記支持領域及び前記接触領域が、一般に前記嵌合コネクタの挿入方向に向かって延在し、
（ｉｉ）前記接触領域が、前記支持領域及び前記接触領域の延在方向に対して一般に垂直の方向に延在する中間部によって前記支持領域に接合され、
前記嵌合電気通信コネクタの各電気接触子による前記接触領域の係合が、前記接触子の前記自由端を移動させて止め具と係合させるようにして、前記電気通信コネクタ間の電気的接続を強化するように前記接触子が成形される、電気通信コネクタ。
【請求項９】
接触領域が、前記接触領域内の屈曲部を介して前記中間部に接合される、請求項８に記載のコネクタ。
【請求項１０】
各接触子の前記接触領域の前記屈曲部が、前記嵌合電気通信コネクタの各電気接触子に係合可能である、請求項９に記載のコネクタ。
【請求項１１】
前記接触子の前記接触領域及び前記中間部の形状が類似しており、前記接触子が全て、前記嵌合電気通信コネクタの各電気接触子に緊密に係合される、請求項９に記載のコネクタ。
【請求項１２】
少なくとも１つの前記接触子が、前記支持領域にたわみを有する、請求項１〜１１のいずれか一項に記載のコネクタ。
【請求項１３】
８個の接触子のアレイを備えるジャックの形態である、請求項８〜１２のいずれか一項に記載のコネクタ。
【請求項１４】
前記接触子が、可撓性の弾性接触子である、請求項１〜１３のいずれか一項に記載のコネクタ。
【請求項１５】
前記接触子の前記支持領域が、プリント基板に配置されると共に、前記基板上の各導電性配線に接続される、請求項１〜１４のいずれか一項に記載のコネクタ。
【請求項１６】
前記導電性配線は、前記接触子を、電気通信ペア線の各線に接続可能な各圧接接触子に接続する、請求項１５に記載のコネクタ。
【請求項１７】
ジャック及び嵌合プラグの形態である、請求項１〜１６のいずれか一項に記載のコネクタの組み合わせ。
【発明の詳細な説明】
【技術分野】
【０００１】
本発明は、電気通信システムで用いられるコネクタに関し、とりわけ、例えば、電話線又はコンピュータのデータ回線を内蔵する入力ケーブルを終端処理する嵌合プラグの受容に用いられるタイプのコネクタソケット（ジャックとしても知られる）に関する。
【背景技術】
【０００２】
電気通信分野で一般に用いられるコネクタの一形態は、４対のツイストペア線を終端処理する互換モジュラープラグを受容するためのモジュラージャックを備える、ＲＪ４５タイプのコネクタである。これらのコネクタは、能動的な電気通信機器（例えば、ルーター）及び受動機器（例えば、パッチパネル）の両方で用いられる。
【０００３】
ＲＪ４５ジャックは、プラグ内で各接触子と係合するために、（通常、１〜８の番号が付けられた）８個の接触子のアレイを前側に有する。周知のとおり、ジャックの接触子４及び５は、通常、ジャック側の第１のペア線への接続用であり、接触子１及び２は第２のペア線への接続用であり、接触子３及び６は第３のペア線への接続用であり、接触子７及び８は第４のペア線への接続用である。換言すれば、このタイプのコネクタには、通常、隣接する接触子（即ち、接触子３〜６）が交互に異なるペア線に属する、接触子のアレイ内の領域が存在し、一方、アレイの残部には、隣接する接触子の各ペア（即ち、接触子１、２及び７、８）が１つの各ペア線に属する領域が存在する。
【０００４】
不必要なクロストークは、主にプラグ及びジャックの前側接触子によって、とりわけジャックの接触子３〜６に接続された内側のペア線間でもたらされることが判明している。クロストークの量は、動作周波数の増加及び特定の空間を占めるコネクタの数の増加に伴って増加する。これは、データの伝送に干渉する又はデータの伝送を阻止するレベルに達する場合さえもある。
【０００５】
電気通信コネクタのジャックは、通常、コネクタを装着してもよく、入力ペア線への接続に使用されるプリント基板（ＰＣＢ）を含み、従来はこのＰＣＢへのクロストーク補償の実装が提案されてきた（例えば、国際公開第２００５／０６４７５５号（Ｐａｎｄｕｉｔ  Ｃｏｒｐ．）、米国特許出願公開第２００８／００９０４６８号（Ｒｅｅｖｅｓら）、及び米国特許第６  ４６４  ５４１号（Ｈａｓｈｉｍら）を参照）。
【０００６】
また、従来は、ジャックの前側接触子の形状を修正することにより、電気通信コネクタの機械的部品によってもたらされるクロストークを低減させることが提案されてきた。しかしこれは、望ましくない複雑な形状を有する前側接触子、又は組み立ててジャック内の所定位置に維持することが困難である前側接触子、又は市販の様々な嵌合プラグを受容して堅固に係合しない前側接触子をもたらす場合がある。
【０００７】
米国特許出願公開第２００２／０１３２５３２号（Ｈｅｎｎｅｂｅｒｇｅｒ）には、前側接触子が３種類の異なる幾何学的配置を有し、この配置のうちの２種類が「後方に延在する」と記載され、この配置のうちの１種類が「前方に延在する」と記載される、ＲＪ４５タイプのモジュラージャックについて記載されている。記載の配置は、ジャックの位置３〜６に位置する接触子間のクロストークの低減に役立つと言われている。米国特許第６  １２０  ３３０号（Ｇｗｉａｚｄｏｗｓｋｉ）に記載の別の配置では、クロストーク補償を目的としてジャックの接触子を交差させた。
【発明の概要】
【発明が解決しようとする課題】
【０００８】
電気通信コネクタにおいては、通常市販されている様々なプラグで、ジャックの接触子とジャックに差し込まれた任意の嵌合プラグの接触子との間に、効果的かつ堅固な接触力を有することも望ましい。
【課題を解決するための手段】
【０００９】
第１の態様では、本発明は、電気通信コネクタの機械的部品によってもたらされるクロストークを低減可能にすることの問題に関する。第２の態様では、本発明は、接触子が、嵌合電気通信コネクタの接触子と効果的かつ堅固に係合可能である電気通信コネクタを提供することの問題に関する。
【００１０】
第１の態様では、本発明は、アレイの第１の領域において、隣接する接触子が交互に異なるペア線に属し、アレイの残部において、隣接する接触子の各ペアが１つの各ペア線に属するように、電気通信ペア線に接続可能な接触子のアレイを備え、アレイの接触子が第１のタイプ又は第２のタイプであり、各タイプが、接触子がコネクタに取り付けられた支持領域と、嵌合電気通信コネクタの各接触子と電気的に接続するために配置された接触領域と、を含み、クロストーク補償を導入するために、
（ｉ）第１のタイプの接触子はその接触領域が第１の方向に延在するように形成され、第２のタイプの接触子はその接触領域が反対方向に延在するように形成され、
（ｉｉ）アレイの第１の領域の隣接する接触子が、交互に第１のタイプ及び第２のタイプであり、
（ｉｉｉ）アレイの残部における各ペアの接触子が、それぞれ同じタイプであるが、アレイの前記第１の領域の隣接する接触子とは異なる、電気通信コネクタを提供する。
【００１１】
本発明のこの態様による電気通信コネクタでは、アレイの第１の領域の接触子の配置（具体的には、この領域の接触子タイプの交互配置）は、これらの接触子に関連するペア線間でのクロストークの低減に寄与することができ、一方、アレイの残部における接触子の配置は、これらのペア線とコネクタに差し込まれる他のペア線との間におけるクロストークを増加させることなくこの低減を実現できる。
【００１２】
コネクタがＲＪ４５ジャックであるという特定の場合、第１の領域は、通常「３」〜「６」の番号が付けられた４個の接触子を備える。
【００１３】
本発明の実施形態では、第１のタイプの接触子の接触領域は、一般に接触子の支持領域と同方向に（具体的には、嵌合コネクタの挿入方向に向かって）延在し、第２のタイプの接触子の接触領域は、一般に接触子の支持領域と反対方向に延在する。
【００１４】
接触子の一般的形状（具体的には、接触子内の任意の屈曲部の位置）は、全ての接触子が、接触領域のほぼ隣接する位置において嵌合コネクタによって係合されるように選択される。接触子の少なくとも１つは、接触子の屈曲部の頂点において嵌合コネクタによって係合されてよい。
【００１５】
一部の接触子は、嵌合電気通信コネクタの各電気接触子による接触領域の係合が、接触子の自由端を支持領域から離して移動させて止め具と係合させるようにして、電気通信コネクタ間の電気的接続を強化するように形成されてよい。
【００１６】
第２の態様では、本発明は、電気通信ペア線に接続可能な電気接触子のアレイを備え、各接触子が、一端において接触子がコネクタに取り付けられた支持領域と、嵌合電気通信コネクタの各電気接触子に係合するように配置された接触領域と、を備え、前記接触子の他端が自由端であり、
（ｉ）支持領域及び接触領域が、一般に嵌合コネクタの挿入方向に向かって延在し、
（ｉｉ）接触領域が、支持領域及び接触領域の延在の方向に対して一般に垂直の方向に延在する中間部によって支持領域に接合され、
嵌合電気通信コネクタの各電気接触子による接触領域の係合が、接触子の自由端を移動させて止め具と係合させるようにして、電気通信コネクタ間の電気的接続を強化するように接触子が成形される、電気通信コネクタを提供する。
【００１７】
本発明のこの態様による電気通信コネクタでは、接触子の配置によって、嵌合電気通信コネクタと効果的かつ堅固に係合できるようにする機械的特性を備えるコネクタを提供できる。
【００１８】
接触子の自由端用止め具は、コネクタのハウジングによって提供されてよい。
【００１９】
本発明の両態様では、接触子の少なくとも１つが、コネクタの間隔を密にすることができるようにするために、支持領域にたわみを有してよい。例えば、接触子の支持領域がプリント基板に配置される場合、接触子は、支持領域のこれらのたわみを用いて、２つ以上の列で基板に配置されてよい。
【００２０】
本発明の両態様では、接触子のアレイを備えるコネクタは、電気通信ジャックであってよい。接触子の支持領域は、プリント基板に配置されると共に、基板の導電性配線を介して、入力ケーブルの各線に接続されるように構成された各圧接接触子に接続されてよい。入力ケーブルの線は、ジャックに挿入可能な線ガイドを介して圧接接触子に誘導されてよい。ジャックは、少なくとも１つのハウジング部、例えば、開放位置に移動可能であって線ガイドをジャックに挿入でき、閉鎖時に動作可能であってジャック内で入力ケーブル線と圧接接触子との間の接続を維持する旋回フラップを備えてよい。
【図面の簡単な説明】
【００２１】
例示のためのみであるが、下記に添付図面を参照しながら、本発明によるコネクタジャックについて説明する。
【００２２】
【図１Ａ】電気通信コネクタのジャックの一般的な斜視図。
【図１Ｂ】電気通信コネクタのプラグの一般的な斜視図。
【図２】ＲＪ４５タイプのジャックの斜視図。
【図３】１側面が破断された、ジャックの類似の図。
【図４】中央垂直面でのジャックの断面図を示す。
【図５】ジャックの接触子支持体及び接触子の斜視図。
【図６】図５に類似の図であるが、接触子支持体の一部が除去されている。
【図７】ジャック内に配置されている前側接触子の斜視図。
【図８】図７の前側接触子の側面図。
【図９】図７に類似の図。
【図１０】図８に類似の図であるが、前側接触子の別のアレイを示す。
【図１１】図１０の接触子の１つの逆方向での概略側面図であり、ジャックに挿入されたプラグによって係合される接触子の効果を示す。
【発明を実施するための形態】
【００２３】
図１Ａ及び１Ｂに示すコネクタは、嵌合プラグ５を受容するための前側開口部３を有するジャック１を備える。使用する際、プラグ５は、例えば電話線又はコンピュータのデータ回線を内蔵する入力ケーブルを終端処理し、ジャック１は、これらの電話線／コンピュータのデータ回線の接続先となるツイストペア線を終端処理する。プラグ５は、ジャック１へのプラグの挿入時に、ジャックの前側開口部３内で前側接触子（図示せず）と係合する電気接触子７を有する。
【００２４】
図２は、周知のＲＪ４５タイプのジャック１０を示し、図３は片側が除去された同一のジャックを示し、図４は、中心平面での断面図で同一のジャックを示す。ＲＪ４５ジャックは、ジャックに差し込まれるケーブル（図示せず）の４対のツイストペア線への接続用に８個の前側接触子１２を有する。下記で詳述するように、前側接触子１２は、ジャックへの嵌合プラグの挿入時に弾性的にプラグ接触子と係合して、コネクタの２部分間に電気的接続をもたらす可撓性バネ接触子である。
【００２５】
（後述の）接触子の形状及び配置をより明確に確認できるように、ジャック１０から分離された前側接触子１２を図７に示す。ジャック１０内では、接触子は、支持体１４（図５）に取り付けられる。接触子支持体１４は、図６に示すように、各前側接触子１２の一端が位置するプリント基板（ＰＣＢ）１６と、ＰＣＢに対して９００に配置され、前側接触子の一部が配置されるガイドスロット２０を備える基部１８と、を含む。前側接触子１２を備える接触子支持体１４は、ジャック１０のハウジングの前部２２内に収容される。ハウジング部２２の前面は、ＲＪ４５タイプのプラグをハウジング部２２内に受容するための上述の開口部（ここでは、参照番号２４で示す）を有する。ジャック１０の前側接触子１２は、固定部材２１（図４）によってジャック内の所定の位置に固定され、下記で更に詳述するように、開口部２４に挿入されたプラグによって係合されるため、接触子の一部に機械的支持をもたらす。
【００２６】
ジャック１０の前側ハウジング部２２は、ラッチフック２６（図４に示す）を備えており、これによって後側ハウジング部２８に係合し、接続できる。後側ハウジング部２８は、後部からジャックの内部にアクセス可能にする、外側に旋回するフラップ２８Ａ、２８Ｂ（図２〜４では閉鎖位置で示す）と、パッチパネルなど所定の位置にジャックを装着するための前側に延出するフック２９と、を備える。ジャック１０の後側ハウジング部２８は、図３及び６に最も明確に示すように、ＰＣＢ  １６に適切に配置された穴に位置する８個の圧接接触子（ＩＤＣ）３０を含む。後側ハウジング部２８は、線ガイド３２によって係合され、フラップ２８Ａ、２８Ｂの開放時にジャック１０に挿入され、入力ケーブルからのペア線（図示せず）は、これらのフラップを通ってＩＤＣ  ３０へと誘導される。線ガイド３２は、後側ハウジング部２８に密接してジャック１０内で保持され、入力ケーブルは、フラップ２８Ａ、２８Ｂを閉鎖することにより各ＩＤＣに接続される。フラップ２８Ａ、２８Ｂの３個のアクセスポート３４は、入力ケーブルのジャック１０への別の入り口をもたらす。
【００２７】
ＰＣＢ  １６は、各ＩＤＣ  ３０を前側接触子１２の各１つに接続する、プリント電気配線（図示せず）を備える。前側接触子１２は、図７に示すように、通常、「１」〜「８」の番号が付けられており、周知のように、アレイの内部域にある接触子「４」及び「５」は、通常、後側ハウジング部２８で第１のペア線に接続され、アレイの一端にある接触子「１」及び「２」は、第２のペア線に接続され、内部域の内側接触子の両側にある接触子「３」及び「６」は、第３のペア線に接続され、アレイのもう一端にある接触子「７」及び「８」は、第４のペア線に接続される。ジャック１０の使用中、とりわけ接触子がすべて類似の形状であるか、互いに平行に走る比較的長い領域を有して、間隔が狭い場合には、接触子「１」〜「８」に接続されたペア線（とりわけ内側接触子「３」〜「６」に接続されたペア線）の間で不必要なクロストークが発生し得ることも周知である。
【００２８】
図２〜４に示すジャックでは、前側接触子１２は、かかる不必要なクロストークを低減するように形成されている。図７及び８に最も明確に示されるように、各接触子１２は、ジャック１０の支持体１４に取り付けられる接触子の端部に隣接する支持領域１２Ａと、接触子のもう一端（自由端）１３に隣接する接触領域１２Ｂと、を備え、接触領域１２Ｂは、ジャック１０に挿入された嵌合プラグの各接触子に係合される接触子１２の少なくともこの部分を備える。図６に示されるように、全ての接触子の支持領域１２Ａは、ＰＣＢから垂直に延出する。したがって、接触子１２は、第１のタイプ又は第２のタイプのいずれかである。接触子「３」、「５」、「７」、及び「８」は第１のタイプであり、接触子「１」、「２」、「４」、及び「６」は第２のタイプである。第１のタイプの接触子はその接触領域１２Ｂが一般にその支持領域１２Ａと同方向に（即ち、ジャック１０の前側に向かって）延在するように形成され、第２のタイプの接触子はその接触領域１２Ｂが一般にその支持領域１２Ａと反対方向に（即ち、ジャックの前側から離れて）延在するように形成される。後述のように、これら２つのタイプの接触子内では、形状が多少異なることも可能である。
【００２９】
図７及び上記より、前側接触子１２のアレイの内部域にある接触子「３」〜「６」は、交互に第１のタイプ及び第２のタイプであることが分かる。また、アレイの残部にある各ペアの接触子「１」、「２」、及び「７」、「８」は、それぞれ同一タイプであるが、内部域にある隣接する接触子とは異なるタイプである（即ち、接触子「２」は接触子「１」と同一だが、接触子「３」とは反対のタイプであり、接触子「７」は接触子「８」と同一だが、接触子「６」とは反対のタイプである）ことが分かる。２タイプの接触子のかかる配置は、ジャック１０に接続された全てのペア線間のクロストークの大幅な低減に寄与し得ることが見出されている。より詳細には、アレイの内部域にある接触子「３」〜「６」の交互配置は、第１のペア線と第３のペア線との間のクロストークの低減に寄与し、一方、アレイの残部にある接触子の形状は、これらのペア（「１」、「２」、及び「７」、「８」）と第２及び第４のペアとの間のクロストークを増加させることなく、この低減を達成できるようにする。
【００３０】
図７及び８に示すタイプの配置であるが、２タイプの前側接触子が入れ替えられた配置も用いられて、類似の結果をもたらすことは理解されるであろう。
【００３１】
２タイプの前側接触子の一般的な配置が維持される場合、接触子の実際の形状は、必要に応じて、例えば、クロストークを更に低減させるために、及び／又は接触子自体のレイアウトによる物理的制約に対応するために、及び／又は一部の接触子に特定の機械的特性を付与するために、様々であってよい。
【００３２】
図７及び８に示す特定の配置では、前側接触子１２は２列に配置されて、ＰＣＢ  １６の配置を容易にし、具体的には、ＰＣＢ  １６の位置決め穴間に十分な距離を設けることができるようにする。これを考慮するために、上列の接触子（接触子「１」、「３」、「５」、及び「７」）の支持領域１２Ａは、下列の接触子の面に向かって傾斜するたわみ１２Ｃを含む。図示する特定の配置では、たわみ領域１２Ｃが全て同一の形状を有するわけではないが、これは、本発明の目的にとって重要ではない。接触子を１列に配置することが可能である場合、たわみ領域は除外してよい。
【００３３】
次に、第２のタイプの全ての接触子（接触子「１」、「２」、「４」、及び「６」）は、ＰＣＢ  １６から全て特定の距離にある位置１２Ｄで後方に屈曲して、各接触子の支持領域１２Ａと接触領域１２Ｂとの間に約４５°の角度を形成する。一方、第１のタイプの接触子（接触子「３」、「５」、「７」、及び「８」）は、一般に、位置１２Ｅ（ＰＣＢ  １６から全てほぼ同距離に位置する）で下向きに屈曲する前に上向きに方向を変えて、各接触子の支持領域１２Ａと接触領域１２Ｂとの間で反対方向に約４５°の角度を形成する。この場合、支持領域１２Ａから接触領域１２Ｂへの上向き転換については、接触子「７」、「８」と接触子「３」、「５」との間には若干の違いがあり、この違いは、クロストークの更なる低減をもたらすために組み込まれている。より具体的には、接触子「７」、「８」のそれぞれには、支持領域１２Ａと接触領域１２Ｂとの間に、接触子の一般に前方に延在する方向に対して実質的に垂直の上向きに延在する中間部１２Ｆが存在し（即ち、中間部１２Ｆは実質的に垂直である）、一方、接触子「３」及び「５」では、対応する中間部１２Ｇは、垂直に対してやや傾斜して上向きに延在する。
【００３４】
ジャック１０に挿入されたプラグの接触子は、前側接触子「３」、「５」、「７」、及び「８」とこれらの接触領域１２Ｂの最上部において（即ち、屈曲点１２Ｅの頂部において）、並びに前側接触子「１」、「２」、「４」、及び「６」とこれらの接触領域１２Ｂのほぼ隣接する位置において係合し、（図に示すように）全ての前側接触子に押し下げる力をもたらす。当初は、両タイプの前側接触子１２は、ＰＣＢ  １６及び固定部材２１によって支持領域１２Ａのみによって支持される。接触子「３」、「５」、「７」、及び「８」の屈曲点１２Ｅへの下向き圧力は、これらの自由端１３がジャック１０の前側ハウジング部２２の基部１８の停止面４０と係合するまで接触子を屈曲させる。その後、これらの接触子「３」、「５」、「７」、及び「８」は、挿入されたプラグから引き続き下向き圧力を加えられる間、両端において支持される。他の接触子「１」、「２」、「４」、及び「６」の場合、挿入されたプラグからの下向き圧力が接触領域１２Ｂに加えられ、これらの接触子の自由端１３を移動させて接触子支持体１４の停止面４１と係合させる。その後、挿入されたプラグから引き続き加えられる下向き圧力が、屈曲部１２Ｄに隣接するこれらの接触子の支持領域１２Ａを移動させ、固定部材２１の停止面４２と係合させる。挿入されたプラグがジャック１０から外された場合、前側接触子１２は、これらの元の位置に戻る。
【００３５】
図７及び８に示すアレイの２つの接触子タイプが必要に応じて入れ替えられることは理解されるであろう。
【００３６】
図７及び８のアレイにおける第１のタイプの接触子「３」、「５」、「７」、及び「８」の形状は、これらの接触子に特定の有利な機械的特性（下記に更に詳述）をもたらすことができ、ユーザーにとってこれらの機械的特性がクロストークの低減よりも重要な状況においては、全ての接触子がこの一般的形状を有するジャックを提供できる。これは、例えば、ジャックの前側接触子を可能な限り密集させた間隔で配置することにより、特定の場所でコネクタの密度を増加させる必要があまりなく、したがってクロストークがあまり問題ではない場合、又はクロストークがコネクタの他のステージで補償される場合、適切であり得る。
【００３７】
次に図９及び１０を参照して、そのようなタイプの接触子アレイについて説明する。このアレイの可撓性バネ接触子１１２は、交互に、図７及び８の接触子「７」及び「８」とほぼ類似しており、各構成要素は図７及び８と同一の参照番号であるが、接頭辞「１」が付されている（即ち、１００が加えられている）。上記のように、また、図９及び１０に示すように、各接触子１１２は、ジャックのＰＣＢ（図示せず）に取り付けられている接触子の端部に隣接する支持領域１１２Ａと、接触子のもう一端（自由端）に隣接する接触領域１１２Ｂと、を備える。接触子１１２の一般的な延在の方向は、ジャック１１０の前側に向かってであるが、図７及び８の接触子「７」及び「８」について記載したように、接触領域１１２Ｂは、一般に前方に延在する方向に対して実質的に垂直に上向きに延在する中間部１１２Ｆ（即ち、中間部１１２Ｆは、図１５及び１６に示すように実質的に垂直である）によって支持領域１１２Ａと接合される。次に、接触領域１１２Ｂは、中間部１１２Ｆから約４５°の角度で下向きに延びる。
【００３８】
図９及び１０の接触子アレイは、図２〜４のジャック内で図７及び８のアレイに置き換えることができる。図７及び８を参照して上述したように、屈曲部１１２Ｅの頂点は、ジャック１１０に挿入された嵌合プラグによって係合される、各接触子１１２における位置である。図１０で確認できるように、ジャック１１０の接触子１１２は、位置１１２Ｅが実質的に整列され、その結果として、嵌合プラグによってほぼ同時に係合されるように配置される。
【００３９】
図９及び１０は、接触子１１２が、ジャック１０の接触子と同様に２列に配置され、接触子が取り付けられるＰＣＢ（図示せず）の配置を容易にすることを示す。これに対応するために、上列の各接触子の支持領域１１２Ａは下向きのたわみ１１２Ｃを備え、下列の各接触子の支持領域１１２Ａは上向きのたわみ１１２Ｃ’を備えて、接触子の接触領域１１２Ｂを整列させる。各接触子に中間部１１２Ｆが存在するために、これらの形状の相違にもかかわらず、２列の接触子の挙動は類似していることが見出されている。
【００４０】
次に、図９及び１０のアレイの下列の接触子の１つの側面図を示す図１１を参照して、接触子１１２が取り付けられるジャックに挿入された嵌合プラグによって係合された場合の接触子１１２の有利な機械的挙動について説明する。図１１において、参照番号１４０は、（図７及び８を参照して上述したように）ジャックの内面によってもたらされた、接触子の自由端１１３の支持面を示す。参照番号１４１は、ジャックに挿入された嵌合プラグの接触子を示す。ジャックの接触子１１２の位置１１２Ｅとのプラグ接触子１４１の係合は、（図１１に示すように）下向きの圧力をジャックの接触子にもたらし、プラグが外されるまで下向きに屈曲させ、プラグが外されると、接触子はただちに元の位置に戻る。ジャックの接触子１１２とプラグ接触子１４１との間の接触力は、ＰＣＢ  １６及び固定部材２１によってもたらされる接触子１１２のもう一端に対する支持力と共に止め具４０の存在により増強され、これにより今度は、接続の電気性能が向上する。更に、挿入されたプラグが接触子１１２の位置１１２Ｅと係合する場合、プラグがジャックに挿入された方向に対して垂直の方向でのプラグの寸法の変動にかかわらず、接触力が増強される。
【００４１】
図７及び８の接触子「３」及び「５」とほぼ類似の接触子を用いて、類似の効果を達成できる。
【００４２】
必要に応じてジャック１０の特定の構成体を修正できることは、理解されるであろう。別のジャック構成体は、例えば、国際公開第２００７／０２１６８４号（３Ｍ  Ｉｎｎｏｖａｔｉｖｅ  Ｐｒｏｐｅｒｔｉｅｓ  Ｃｏｍｐａｎｙ）、米国特許第５  ９５７  ７２０号（Ｂｏｕｄｉｎ）、米国特許出願公開第２００２／０１３２５３２号（Ｈｅｎｎｅｂｅｒｇｅｒ）、及び米国特許第６  １２０  ３３０号（Ｇｗｉａｚｄｏｗｓｋｉ）に記載されている。
【図１Ａ】
2013502041.tif 000003
【図１Ｂ】
2013502041.tif 000004
【図２】
2013502041.tif 000005
【図３】
2013502041.tif 000006
【図４】
2013502041.tif 000007
【図５】
2013502041.tif 000008
【図６】
2013502041.tif 000009
【図７】
2013502041.tif 000010
【図８】
2013502041.tif 000011
【図９】
2013502041.tif 000012
【図１０】
2013502041.tif 000013
【図１１】
2013502041.tif 000014
【国際調査報告】
2013502041.tif 000015
2013502041.tif 000016
2013502041.tif 000017
2013502041.tif 000018
2013502041.tif 000019